(57)【要約】【課題】  本発明は、実質的にシームレスでかつ衿まわりのコース数を増やして、着用時に衿まわりにドレープを形成することを目的とする。【解決手段】  前身頃の衿まわりにドレープが形成されるように脇下から肩の手前にかけてを前身頃と後身頃がその両端で分離された状態で前身頃と後身頃の編み幅が拡げられており、肩部分は前身頃と後身頃を引き返しにより肩下がりを形成し、前後のネックラインをそれぞれ伏目処理し、肩ラインが前後で接合される。【選択図】図３
2005105432.tif 000002
【特許請求の範囲】
【請求項１】
左右方向に延び、かつ前後方向に互いに対向する少なくとも前後一対の針床を有し、前記針床の少なくとも一方が左右にラッキング可能で、前記針床間で編目の目移しが可能な横編機を用いて、ニットウエアを構成する前身頃部分を第１の針床上に付属させ、後身頃部分を第２の針床上に付属させ、前身頃部分と後身頃部分が編み幅の両端で接続された筒状体として編成され、且つ衿まわりにドレープを有するニットウエアを編成する方法は以下のステップを含む；
ａ）裾〜脇下にかけての区間を前身頃と後身頃が両端で接続された状態で筒状に編成するステップ（編成区間１）、
ｂ）脇下〜肩の手前にかけての区間を前身頃と後身頃が両端で分離された状態で前身頃の編み幅が後身頃の編み幅よりも大きくなるように増目を行いながら前身頃と後身頃の編み幅を拡げていくステップ（編成区間２）、
ｃ）肩部分の区間を前身頃と後身頃を引き返しにより肩下がりを形成しながらネックラインまで編成する（編成区間３）、
ｄ）前身頃と後身頃のネックラインをそれぞれ伏目処理するステップ（編成区間４）、
ｅ）ネックラインを挟んで左右に延びる前身頃と後身頃の左右の肩部分が互いに向き合うように目移しにより移動した前後の肩部分同士を接合して伏目処理するステップ（編成区間５）。
【請求項２】
上記ステップｃ）では前身頃を後身頃よりも丈方向に長く編成することを特徴とする請求項１に記載のニットウエアを編成する方法。
【請求項３】
上記ステップｅ）の目移しは、ネックラインの伏目処理により形成された空き針を利用することを特徴とする請求項１に記載のニットウエアを編成する方法。
【請求項４】
上記ステップｂ）では前身頃のネックラインの寸法が後身頃のネックラインの寸法の１．４〜２．０倍程度となるように増目を行いネックラインを形成するウエール数を増加させることを特徴とする請求項１に記載のニットウエアを編成する方法。
【請求項５】
前身頃と後身頃が編み幅の両端で連結された状態で筒状に編成されるとともに肩部において前後の身頃が接合されてなる横編機を用いて実質的にシームレスな状態に編まれたニットウエアにおいて、前身頃の衿まわりにドレープが形成されるように脇下〜肩の手前にかけてを前身頃と後身頃がその両端で分離された状態で前身頃と後身頃の編み幅が拡げられており、且つ前身頃の編み幅が後身頃の編み幅よりも大きくなるように前身頃に形成された増目の数は後身頃の増目の数よりも多く、肩部分では、前身頃と後身頃を引き返しにより肩下がりが形成され、前後のネックラインがそれぞれ伏目処理されていることを特徴とするドレープを有するニットウエア。
【発明の詳細な説明】
【技術分野】
【０００１】
本発明は、横編機を用いて編成されるセーター、ワンピース、ドレス等のニットウエアの衿まわりにドレープを形成する編成方法およびそのような編成方法により編まれたニットウエアに関する。
【背景技術】
【０００２】
出願人は、横編機によりニットウエアをシームレスに編成して、後工程の縫製を省略ないしは簡素化する編成方法を先に種々提案している。特許文献１は、２枚ベッドの横編機により筒状のリブ編みや編み幅の増減を行う編成方法についてのもので、前後ベッドの編針を１本置きの針抜き状態で編成する点が特徴である。また特許文献２や特許文献３は、シームレスに編まれるセーターの例えば丸首の衿ぐりに十分に大きな前下がりを形成する方法に関するものである。特許文献４は、シームレスに編まれるセーターにＶ首の衿ぐりを２枚ベッドや４枚ベッド横編機により編成する方法について開示している。
【０００３】
しかし、上記した特許文献は丸首やＶ首などの一般的なネックラインについてのものであり、ネックラインの周辺に例えばオフタートルのようにドレープを形成させたセーターを編成する場合にはそのまま採用することはできず、このような場合には専ら縫製による方法で製造されているのが現状である。
【０００４】
【特許文献１】特公平７−３７６９８号公報
【特許文献２】国際公開第ＷＯ０１／５５４９１号パンフレット
【特許文献３】国際公開第ＷＯ０１／９４６７２号パンフレット
【特許文献４】特開平４−１５３３４６号公報
【発明の開示】
【発明が解決しようとする課題】
【０００５】
この発明の課題は、実質的にシームレスでかつ衿まわりのコース数を増やして、着用時に衿まわりにドレープを形成したシームレスニットウエアの編成方法と、このようなニットウエアを提供することにある。
【課題を解決するための手段】
【０００６】
この発明の編成方法は、左右方向に延び、かつ前後方向に互いに対向する少なくとも前後一対の針床を有し、前記針床の少なくとも一方が左右にラッキング可能で、前記針床間で編目の目移しが可能な横編機を用いて、ニットウエアを構成する前身頃部分を第１の針床上に付属させ、後身頃部分を第２の針床上に付属させ、前身頃部分と後身頃部分が編み幅の両端で接続された筒状体として編成され、且つ衿まわりにドレープを有するニットウエアを編成する方法は、
ａ）裾〜脇下にかけての区間を前身頃と後身頃が両端で接続された状態で筒状に編成するステップ（編成区間１）、
ｂ）脇下〜肩の手前にかけての区間を前身頃と後身頃が両端で分離された状態で前身頃の編み幅が後身頃の編み幅よりも大きくなるように増目を行いながら前身頃と後身頃の編み幅を拡げていくステップ（編成区間２）、
ｃ）肩部分の区間を前身頃と後身頃を引き返しにより肩下がりを形成しながらネックラインまで編成する（編成区間３）、
ｄ）前身頃と後身頃のネックラインをそれぞれ伏目処理するステップ（編成区間４）、
ｅ）ネックラインを挟んで左右に延びる前身頃と後身頃の左右の肩部分が互いに向き合うように目移しにより移動した前後の肩部分同士を接合して伏目処理するステップ（編成区間５）、を含むことを特徴とする。
【０００７】
また、上記ステップｃ）では前身頃を後身頃よりも丈方向に長く編成することを特徴とする。
【０００８】
また、上記ステップｅ）の目移しは、ネックラインの伏目処理により形成された空き針を利用することを特徴とする。
【０００９】
また、上記ステップｂ）では前身頃のネックラインの寸法が後身頃のネックラインの寸法の１．４〜２．０倍程度となるように増目を行いネックラインを形成するウエール数を増加させることを特徴とする。
【００１０】
またこの発明は、前身頃と後身頃が編み幅の両端で連結された状態で筒状に編成されるとともに肩部において前後の身頃が接合されてなる横編機を用いて実質的にシームレスな状態に編まれたニットウエアにおいて、前身頃の衿まわりにドレープが形成されるように脇下〜肩の手前にかけてを前身頃と後身頃がその両端で分離された状態で前身頃と後身頃の編み幅が拡げられており、且つ前身頃の編み幅が後身頃の編み幅よりも大きくなるように前身頃に形成された増目の数は後身頃の増目の数よりも多く、肩部分では、前身頃と後身頃を引き返しにより肩下がりが形成され、前後のネックラインがそれぞれ伏目処理されていることを特徴とするドレープを有することを特徴とする。
【発明の効果】
【００１１】
本発明のニットウエアの編成方法は、ニットウエアを横編機上で編成しながら従来であれば編成後に縫製が必要であった各部が編み技術によって接合され、あるいは解れ止めされているので編成後の縫製作業を不要もしくは省力化できる。特に脇下から肩の手前にかけては、前身頃と後身頃が両端で分離した状態で前身頃を後身頃よりも編み幅が大きくなるように増目して、更に肩部分では編地側端よりも中央側のほうが丈が長くなるように引き返し編みを行うことで肩下がりが形成される。そのため前身頃のネックラインを構成するウエール数は後身頃のネックラインのウエール数に比べると多くなり、更に衿まわりのコース数は他の部分に比べ多く形成される。そしてこの後、前後のネックラインはそれぞれ伏目により解れ止めされる。そして前身頃と後身頃の肩部分を接合して伏目処理するためにネックラインを間に挟んだ前後の肩ラインは互い向き合うように移動されて伏目処理される。これにより前身頃のネックラインを構成したウエールは全体が中央に寄せ集められた状態となり、この部分にドレープが形成されることになる。したがってこのように編まれたニットウエアは実質的にシームレスな状態で形成されるので縫い目により伸縮性が殺がれることはなく軽くてファッション性に富んでいる。
【００１２】
更に肩部分では前身頃が後身頃よりも丈方向に長なるように引き返し編みが行われることでより大きなドレープを形成することができる。
【００１３】
更に前身頃と後身頃の左右の肩部分を向き合わせるための編地の移動はネックラインの伏目処理の際に編目を解放した空き針を利用できるので編成がスムーズ且つ効率的に行うことができる。
【００１４】
更に前身頃のネックラインの寸法が後身頃のネックラインの寸法の１．４〜２．０倍
程度となるように増目を行うことで大きくて綺麗なシルエットのドレープを形成することができる。
【発明を実施するための最良の形態】
【００１５】
次に本発明の好適な実施の形態を図面と共に以下に詳細に説明する。まず、本発明の好適な実施の形態の一つとしての実施形態について図１から図３に基づいて説明する。
【００１６】
図１は本実施例により編成されるニットウエアとしてセーター１を示す。図２はセーター１を編成するための型紙を示し、図２−ａが前身頃３、図２−ｂが後身頃５、の型紙を示し、図２−ｃはこれら型紙を重ね合わせた状態を示す。前身頃３と後身頃５は、裾６から脇下７までは同一の形状を有しているが、脇下７以降の形状が相違し、図２−ｃでは後身頃の相違する部分を破線で示す。また図３は横編機上での身頃の編成を模式的に示した図で、下側に前身頃３、上側に後身頃５を示す。前身頃３は裾６から脇下７までを３ａ、脇下７から肩１３の手前までを３ｂ、肩１３の部分を３ｃで示し、後身頃のこれらに対応する部分を５ａ，５ｂ，５ｃで示す。前身頃３および後身頃５はそれぞれ裾６から肩１３，１４に向けて編成される。
【００１７】
本実施例で編成されるセーター１は、１２ゲージ、Ｍサイズ程度のものとし、説明の便宜上プレーンな無地で、前身頃３は前ベッドの編針で、後身頃５は後ベッドの編針でそれぞれ編まれるものとするが、無地に代えてジャカードやリブ等の組織柄のものであってもよいし、また袖付きのセーターとしてもよいことは言うまでもない。
【００１８】
また編成に使用する横編機は２枚ベッド横編機や４枚ベッド横編機、あるいはトランスファージャックベッドを有したタイプのものを使用することができる。なおニットウエアを筒状のシームレスに編成するための基本的な考え方は上記した特許文献を参照するものとしてここではその説明を省略する。
【００１９】
セーター１は、編成区間１：裾６〜脇下７にかけての編成（前身頃３ａ、後身頃５ａ）、編成区間２：脇下７〜肩１３，１４の手前にかけての編成（前身頃３ｂ、後身頃５ｂ）、編成区間３：肩１３、１４（前身頃３ｃ、後身頃５ｃ）、編成区間４：ネックライン１５，１７の伏目処理、編成区間５：前後肩部分１９，２１の接合およびその伏目処理、といった順で編成する。
【００２０】
編成区間１では、前身頃３ａを前ベッド、後身頃５ａを後ベッドの針に係止した状態で各編地の両端同士が接続された状態で公知の方法により筒状に編成する。例えば裾６から脇下７までを共通の給糸部材（不図示）を使用して編糸を前ベッドの編針へ給糸して前身頃３ａのコース編成を行った後、次に編糸を後ベッドの編針へ給糸して後身頃５ａのコース編成を行う編成を繰り返し行うことで編成する。
【００２１】
続く編成区間２以降は、前身頃（３ｂ，３ｃ）と後身頃（５ｂ，５ｃ）が両端で分離された状態となるように前身頃と後身頃とはそれぞれ異なる給糸部材を用いて編成する。
【００２２】
編成区間２では脇下７から肩１３，１４の手前までの編成を行う。前身頃３ｂは前身頃３ａから脇下８Ｒ，８Ｌの編み幅を、後身頃５ｂは後身頃５ａから脇下９Ｒ，９Ｌの編み幅をそれぞれ減らした編み幅から編み始めていく。また、前身頃側の脇下８Ｒ，８Ｌに比べて後身頃側の脇下９Ｒ，９Ｌを長くし、脇下８Ｒ〜９Ｒ，８Ｌ〜９Ｌを伏目処理する。この区間の編成が終了した段階で後述するが前身頃に形成される前ネックライン１５の寸法が後身頃の後ネックライン１７よりも１．４〜２．０倍程度大きく形成できるように前身頃の３ｂの部分の編み幅が後身頃の５ｂの部分の編み幅に対して大きくなるようにしながら前身頃と後身頃の編み幅を拡げていく。ここでは編み幅を拡げるために例えば各身頃の左右の側端部分において増やし編成により編み幅の内側に増目を形成する、所謂内増やし編成を所定コースの毎に行う。例えば前身頃では４コース毎に３目の増目を２６回、後身頃では８コース毎に２目の増目を１４回行われ、前ネックライン１５の幅は後ネックライン１７の幅よりも約１．７倍となるようにしている。図３における２３Ｒ，２３Ｌはこれら内増やし編成により形成された前身頃の増やしラインを示す。２５Ｒ，２５Ｌは後身頃に形成される増やしラインを示す。
【００２３】
次ぎに編成区間３では、肩部において編み幅の中央側のコース数が編地側端側よりも多くなるように引き返し編成を行うことで肩先がネックラインよりも下になるように肩下がりを形成するとともに中央部のコース編成を多くしてドレープを形成する。また図２−ｃに示すように前身頃のコース数を後身頃のコース数よりも多くして丈方向に長くなるように、例えば前身頃と後身頃の丈の比率を５：４程度（前身頃１００コース、後身頃８０コース程度）となるように編成することでより大きなドレープを形成することができる。図３では編み幅中央部を除く外側の領域にある編針を休止状態として、編み幅の中央部側から編成を開始し、順次編成に使用する編針を外側の編み幅側端部に向けて導入していく引き返し編みが採られている。図３における２７Ｒ，２７Ｌは前身頃の引き返しラインを示し、２８Ｒ，２８Ｌは後身頃の引き返しラインを示す。また、上記に代えて編成区間３の引き返し編成を順次編み幅の外側の編針から順に編成から外して不作用状態にしていく方法を用いてネックラインまでを編成するようにしてもよい。
【００２４】
編成区間４では、前身頃と後身頃のネックラインをそれぞれ伏目処理して編針からネックラインの編目を解放する。
【００２５】
続く編成区間５では、ネックラインを挟んで左右にある前身頃と後身頃の肩部分を接合して伏目処理するために接合されるべき前後の肩部分が互いに向き合うように編地の移動を行う。編成区間２における編成により前身頃は後身頃よりも編み幅が拡げられているので前身頃の肩部分は後身頃の肩部分よりも外側で前ベッドの編針に係止された状態になっている。しかし、ネックラインを伏目処理することでこの部分を占有していたネックラインの編目は編針から解放されて空き針となっているのでこれら空き針を利用して前身頃の肩部分１９Ｒ，１９Ｌが後身頃の肩部分２１Ｒ，２１Ｌと互いに対峙するように目移しとラッキングを用いて編地を移動する。前後の各肩部分の編目が対峙した状態にした後は、前後の肩部分同士を接合して伏目処理することで袖口開口１０およびネック部開口１１も形成され編成を終了する。
【００２６】
このようにして編成されたニットウエアでは、図１に示すように前後の肩同士が接合されるため前身頃のネックラインはその間で弛んだ状態となる。そしてこのネックライン周辺の中央部分は側端側に比べコース数が多くなるように引き返し編成されているためにドレープが形成される。ニットウエアのネックまわりにドレープを形成することで例えばオフタートルのセーターとしても編成できる。
【産業上の利用可能性】
【００２７】
本発明によりネックラインの周辺にドレープを形成した横編みによるシームレスのニットウエアを得ることができる。
【図面の簡単な説明】
【００２８】
【図１】本実施例により編成されるニットウエアを示した図。
【図２】セーターを構成する身頃の型紙を示した図で、図２−ａは前身頃、図２−ｂは後身頃、図２−ｃは前身頃と後身頃を重ね合わせた状態を示す。
【図３】横編機上での編成手順を示した図。
【符号の説明】
【００２９】
１…セーター、３…前身頃、５…後身頃、６…裾、７…脇下、８Ｒ，８Ｌ…前脇下、９Ｒ，９Ｌ…後脇下、１０…袖口開口、１１…ネック部開口、１３，１４…肩、１５…前ネックライン、１７…後ネックライン、１９，１９Ｒ，１９Ｌ…前肩ライン、２１，２１Ｒ，２１Ｌ…後肩ライン、２３，２３Ｒ，２３Ｌ…前増やしライン、２５，２５Ｒ，２５Ｌ…後増やしライン、２７Ｒ，２７Ｌ…前引き返しライン、２９Ｒ，２９Ｌ…後引き返しライン
【図１】
2005105432.tif 000003
【図２】
2005105432.tif 000004
【図３】
2005105432.tif 000005